(57)【要約】【課題】無線ＬＡＮアクセスポイント装置の置き換えをミスなくかつ容易に行う。【解決手段】他の無線ＬＡＮアクセスポイント装置に接続する無線ＬＡＮインタフェース１１において、無線ＬＡＮクライアント装置として動作して他の無線ＬＡＮアクセスポイント装置における無線設定内容を取得するクライアント動作と、他の無線ＬＡＮアクセスポイント装置から取得した無線設定内容に基づいてアクセスポイントとして動作するアクセスポイント動作とを切り替えて行う。【選択図】図１
2013115539.tif 000002
【特許請求の範囲】
【請求項１】
無線設定のコピー機能を備えた無線ＬＡＮアクセスポイント装置であって、
他の無線ＬＡＮアクセスポイント装置に接続するインタフェース手段を有し、該インタフェース手段は、無線ＬＡＮクライアント装置として動作して前記他の無線ＬＡＮアクセスポイント装置における無線設定内容を取得するクライアント動作と、前記他の無線ＬＡＮアクセスポイント装置から取得した無線設定内容に基づいてアクセスポイントとして動作するアクセスポイント動作とを切り替えて行う無線ＬＡＮアクセスポイント装置。
【請求項２】
請求項１に記載の無線ＬＡＮアクセスポイント装置において、
前記インタフェース手段として、
無線ＬＡＮクライアント装置として動作して前記他の無線ＬＡＮアクセスポイント装置における無線設定内容を取得するクライアント動作を行う第１のインタフェース手段と、
第１のインタフェース手段にて前記他の無線ＬＡＮアクセスポイント装置から取得した無線設定内容に基づいてアクセスポイントとして動作するアクセスポイント動作を行う第２のインタフェース手段とを有する無線ＬＡＮアクセスポイント装置。
【請求項３】
請求項１または請求項２に記載の無線ＬＡＮアクセスポイント装置において、
前記インタフェース手段は、当該無線ＬＡＮアクセスポイント装置に応じた無線自動設定技術を用いて、前記他の無線ＬＡＮアクセスポイント装置における無線設定内容を取得する無線ＬＡＮアクセスポイント装置。
【請求項４】
他の無線ＬＡＮアクセスポイント装置に接続するインタフェース手段を有する無線ＬＡＮアクセスポイント装置における無線設定引継ぎ方法であって、
前記インタフェース手段が、無線ＬＡＮクライアント装置として動作して前記他の無線ＬＡＮアクセスポイント装置における無線設定内容を取得するクライアント動作を行い、
前記他の無線ＬＡＮアクセスポイント装置から取得した無線設定内容に基づいてアクセスポイントとして動作するアクセスポイント動作を行う、無線設定引継ぎ方法。
【発明の詳細な説明】
【技術分野】
【０００１】
本発明は、無線ＬＡＮアクセスポイント装置に関し、特に、無線設定のコピー機能を備えた無線ＬＡＮアクセスポイント装置及び無線設定引継ぎ方法に関する。
【背景技術】
【０００２】
無線ＬＡＮアクセスポイント装置の無線設定は、一般的に初期値としてそれぞれの装置固有の設定がなされている。そして、一般的に、無線設定内容をアクセスポイントからクライアントに送信することによって無線通信を可能としている（例えば、特許文献１参照）。そのため、無線ＬＡＮアクセスポイントの機能を持つルーター装置を買い替え等により置き換える場合、単純に装置を置き換えただけではこれまで接続されていた無線ＬＡＮクライアントがネットワークを利用不可能になってしまう。
【０００３】
図５は、無線ＬＡＮアクセスポイント装置を置き換える構成例を示す図である。
【０００４】
図５に示すように既に構築済のＢＳＳネットワーク中の無線ＬＡＮアクセスポイント装置１２０を単純に新しい無線ＬＡＮアクセスポイント装置１１０に置き換えただけでは、これまでの帰属していた無線ＬＡＮクライアント装置１０２−１〜１０２−３は接続できない状態になってしまう。
【０００５】
このような場合に無線ＬＡＮ環境を維持するためには、既存ＢＳＳネットワーク中の無線ＬＡＮアクセスポイント装置１２０と同じ無線設定を、新たに設置する無線ＬＡＮアクセスポイント装置１１０にコピーするか、帰属させたい全ての無線ＬＡＮクライアント装置１０２−１〜１０２−３の設定を新しい無線ＬＡＮアクセスポイント装置１１０のものに設定しなおす必要がある。
【０００６】
ここで、既存ＢＳＳネットワーク中の無線ＬＡＮアクセスポイント装置１２０と同じ無線設定を、新たに設置する無線ＬＡＮアクセスポイント装置１１０にコピーする場合について以下に説明する。
【０００７】
図６は、図５に示した無線ＬＡＮ環境にて無線ＬＡＮアクセスポイント装置を置き換える場合の手順を示す図である。また、図７は、図６に示した手順を説明するためのタイミングチャートである。
【０００８】
図５に示した無線ＬＡＮ環境にて無線ＬＡＮアクセスポイント装置を置き換える場合、一般的に無線ＬＡＮアクセスポイント装置の設定はネットワーク経由で装置内部の設定画面にアクセスして設定を行うものが多い。
【０００９】
そのためまず、図６に示すように、ユーザは、既存の無線ＬＡＮアクセスポイント装置１２０とクライアント装置であるＰＣ１０２とを有線ＬＡＮ等で接続し、設定引継ぎ元となる無線ＬＡＮアクセスポイント装置１２０の設定画面にアクセスし（Ｂ１）、ネットワーク経由で設定画面から無線設定を確認、取得する（Ｂ２）。
【００１０】
そして、この無線設定を紙等の記憶媒体に保存する（Ｂ３）。
【００１１】
その後、ＰＣ１０２を新しい無線ＬＡＮアクセスポイント装置１１０と接続し、設定画面を表示させ（Ｂ４，Ｂ５）、記憶媒体に記録しておいた設定を読み込み（Ｂ６）、反映することになる（Ｂ７）。
【先行技術文献】
【特許文献】
【００１２】
【特許文献１】特開２０１１−１３９１９９号公報
【発明の概要】
【発明が解決しようとする課題】
【００１３】
しかしながら、上述したような設定はユーザが行うことになるため、ユーザにとって非常に手間がかかって煩わしく、また、設定にミスがあると無線ＬＡＮクライアント装置が無線接続できなくなってしまうという問題点がある。
【００１４】
本発明は、上述したような技術が有する問題点に鑑みてなされたものであって、無線ＬＡＮアクセスポイント装置の置き換えをミスなくかつ容易に行うことができる無線ＬＡＮアクセスポイント装置及び無線設定引継ぎ方法を提供することを目的とする。
【課題を解決するための手段】
【００１５】
上記目的を達成するために本発明は、
無線設定のコピー機能を備えた無線ＬＡＮアクセスポイント装置であって、
他の無線ＬＡＮアクセスポイント装置に接続するインタフェース手段を有し、該インタフェース手段は、無線ＬＡＮクライアント装置として動作して前記他の無線ＬＡＮアクセスポイント装置における無線設定内容を取得するクライアント動作と、前記他の無線ＬＡＮアクセスポイント装置から取得した無線設定内容に基づいてアクセスポイントとして動作するアクセスポイント動作とを切り替えて行う。
【００１６】
また、他の無線ＬＡＮアクセスポイント装置に接続するインタフェース手段を有する無線ＬＡＮアクセスポイント装置における無線設定引継ぎ方法であって、
前記インタフェース手段が、無線ＬＡＮクライアント装置として動作して前記他の無線ＬＡＮアクセスポイント装置における無線設定内容を取得するクライアント動作を行い、
前記他の無線ＬＡＮアクセスポイント装置から取得した無線設定内容に基づいてアクセスポイントとして動作するアクセスポイント動作を行う。
【発明の効果】
【００１７】
本発明は、他の無線ＬＡＮアクセスポイント装置における無線設定内容を取得するクライアント動作と、他の無線ＬＡＮアクセスポイント装置から取得した無線設定内容に基づいてアクセスポイントとして動作するアクセスポイント動作とを切り替えて行うことで、無線ＬＡＮアクセスポイント装置間での無線設定のコピーを自動化する構成としたため、無線ＬＡＮアクセスポイント装置の置き換えをミスなくかつ容易に行うことができる。また、無線ＬＡＮアクセスポイント装置間での無線設定のコピーのためにパソコン等の装置が不要となる。
【図面の簡単な説明】
【００１８】
【図１】本発明の無線ＬＡＮアクセスポイント装置の実施の一形態を示す図である。
【図２】図１に示した無線ＬＡＮアクセスポイント装置の動作の概略を説明するための図である。
【図３】図１に示した無線ＬＡＮアクセスポイント装置の動作の詳細を説明するためのタイミングチャートである。
【図４】図１に示した無線ＬＡＮアクセスポイント装置の動作を説明するためのフローチャートである。
【図５】無線ＬＡＮアクセスポイント装置を置き換える構成例を示す図である。
【図６】図５に示した無線ＬＡＮ環境にて無線ＬＡＮアクセスポイント装置を置き換える場合の手順を示す図である。
【図７】図６に示した手順を説明するためのタイミングチャートである。
【発明を実施するための形態】
【００１９】
以下に、本発明の実施の形態について図面を参照して説明する。
【００２０】
図１は、本発明の無線ＬＡＮアクセスポイント装置の実施の一形態を示す図である。
【００２１】
本形態は図１に示すように、インタフェース手段となる無線ＬＡＮインタフェース１１と、制御部１２と、記憶部１３とから構成されており、無線設定のコピー機能を備えた無線ＬＡＮアクセスポイント装置１０である。
【００２２】
無線ＬＡＮインタフェース１１は、他の無線ＬＡＮアクセスポイント装置に接続するものであって、無線ＬＡＮクライアント装置として動作して他の無線ＬＡＮアクセスポイント装置における無線設定内容を取得するクライアント動作と、他の無線ＬＡＮアクセスポイント装置から取得した無線設定内容に基づいてアクセスポイントとして動作するアクセスポイント動作とを切り替えて行う。
【００２３】
記憶部１３は、他の無線ＬＡＮアクセスポイント装置から取得した無線設定内容を記憶する。
【００２４】
制御部１２は、無線ＬＡＮインタフェース１１の動作を切り替え、無線ＬＡＮインタフェース１１にて取得した無線設定内容を記憶部１３に記憶し、また、記憶部１３に記憶した無線設定内容を読み込む。
【００２５】
以下に、上記のように構成された無線ＬＡＮアクセスポイント装置１０における無線設定引継ぎ方法について説明する。
【００２６】
まず、動作の概略を説明する。
【００２７】
図２は、図１に示した無線ＬＡＮアクセスポイント装置１０の動作の概略を説明するための図である。
【００２８】
図１に示した無線ＬＡＮアクセスポイント装置１０は、図２に示すように、まず、無線設定を取得するため無線ＬＡＮインタフェース１１をクライアントとして動作させる。そして、設定引継ぎ元の無線ＬＡＮアクセスポイント装置２０とＷＰＳ（Wi-Fi Protected Setup）や各無線ＬＡＮアクセスポイント装置１０のメーカー独自に採用している無線自動設定技術等、無線ＬＡＮアクセスポイント装置１０に応じた無線自動設定技術を用いて接続設定を行い、無線設定を取得する。このように、ＷＰＳや各無線ＬＡＮアクセスポイント装置１０のメーカー独自に採用している無線自動設定技術を用いて接続設定を行い、無線設定を取得することにより、無線設定のコピー元となる無線ＬＡＮアクセスポイント装置はＷＰＳもしくは各無線ＬＡＮアクセスポイント装置メーカー独自の自動無線設定にさえ対応していれば、特に改造の必要なく本発明を利用することができる。
【００２９】
その後、無線ＬＡＮアクセスポイント装置１０は、無線ＬＡＮインタフェース１１をアクセスポイントとして動作させ、アクセスポイントの設定は無線自動設定で取得したものを適用する。
【００３０】
この一連の動作により、無線設定の引継ぎ元、引継ぎ先以外に装置を用いることなく、簡単に無線設定のコピーが完了する。
【００３１】
以下に、動作の詳細について説明する。
【００３２】
図３は、図１に示した無線ＬＡＮアクセスポイント装置１０の動作の詳細を説明するためのタイミングチャートである。また、図４は、図１に示した無線ＬＡＮアクセスポイント装置１０の動作を説明するためのフローチャートである。
【００３３】
初期状態として、図５中左側の構成でＢＳＳネットワークが構築されている状態を考える。この初期状態においては、無線ＬＡＮアクセスポイント装置１２０があり、これに複数の無線ＬＡＮクライアント装置１０２−１〜１０２−３が帰属している。
【００３４】
この構成から、既存の無線ＬＡＮアクセスポイント装置１２０を、新しい無線ＬＡＮアクセスポイント装置１１０へ置き換える場合を考える。なお、図５に示す無線ＬＡＮアクセスポイント装置１１０が図１に示した無線ＬＡＮアクセスポイント装置１０に相当する。この場合において、これまで帰属していた無線ＬＡＮクライアント装置１０２−１〜１０２−３が無線ＬＡＮアクセスポイント装置の置き換え後も無線接続を利用可能になるよう、既存の無線ＬＡＮアクセスポイント装置１２０から新しい無線ＬＡＮアクセスポイント装置１１０に無線設定のコピーを行う例を考える。
【００３５】
まず、無線ＬＡＮアクセスポイント装置１０に対し、ユーザから無線設定自動コピーの要求が行われる（ステップ１，Ａ１）。
【００３６】
すると、無線ＬＡＮアクセスポイント装置１０の制御部１２が、無線ＬＡＮインタフェース１１を無線ＬＡＮクライアント装置として動作させる（ステップ２，Ａ２）。さらに制御部１２は、無線ＬＡＮインタフェース１１に対して、ＷＰＳ（プッシュボタン方式）の開始するよう要求する（ステップ３，Ａ３，Ａ４）。
【００３７】
ユーザは、設定引継ぎ元となる無線ＬＡＮアクセスポイント装置１２０のボタンを押下することでＷＰＳを成功させる（ステップ４，Ａ５）。
【００３８】
制御部１２は、無線ＬＡＮアクセスポイント装置１２０の無線設定内容をＷＰＳにより取得し（Ａ６）、記憶部に保存する（ステップ５，Ａ７）。そして、制御部１２は、無線ＬＡＮインタフェース１１をアクセスポイント動作に切り替える（ステップ６，Ａ８）。
【００３９】
その後、記憶部１３に保存していた無線設定を読み込み（Ａ９）、無線ＬＡＮアクセスポイントで動作中の無線ＬＡＮインタフェース１１に設定する（Ａ１０）。
【００４０】
このようにして、無線ＬＡＮアクセスポイント装置の置き換え動作が完了する。
【００４１】
（他の実施の形態）
上述した実施の形態では、コピー元、コピー先の無線ＬＡＮアクセスポイント装置において、ＷＰＳのプッシュボタン方式により無線設定の取得を行ったが、ＷＰＳのＰＩＮ方式もしくは各無線ＬＡＮアクセスポイント装置メーカー独自の自動無線設定等、他の設定方法でも利用可能である。
【００４２】
また、上述した実施の形態では、無線ＬＡＮインタフェースは１つだけであり、クライアント動作とアクセスポイント動作とを切り替えているが、無線ＬＡＮインタフェースとして、クライアント動作を行う第１のインタフェース手段と、アクセスポイント動作を行う第２のインタフェース手段とを設け、これらを動作切り替えを伴わずに動作させることも可能である。
【００４３】
なお、本発明は、無線ＬＡＮアクセスポイントの機能を持つ装置において利用が考えられる。
【符号の説明】
【００４４】
１０，２０    無線ＬＡＮアクセスポイント装置
１１    無線ＬＡＮインタフェース
１２    制御部
１３    記憶部
【図１】
2013115539.tif 000003
【図２】
2013115539.tif 000004
【図３】
2013115539.tif 000005
【図４】
2013115539.tif 000006
【図５】
2013115539.tif 000007
【図６】
2013115539.tif 000008
【図７】
2013115539.tif 000009